(57)【要約】      （修正有）【課題】床設置型フラットパネルディスプレイ装置の周辺を往来する人間に対して必要な情報を的確に表示するための床設置型フラットパネルディスプレイ装置を提供すること。【解決手段】床設置型フラットディスプレイ装置１の検出部が床設置型フラットディスプレイ装置１上の人間２０１の動きを検出した場合には、表示部１３１に表示させる情報を変更することができる。例えば、展示会会場の通路などに床設置型フラットパネルディスプレイ装置１を設置し、普段は表示部１３１に広告情報を表示させておき、人間２０１の動きを検出した場合には道案内情報を表示させる、などの制御が可能となる。【選択図】図２
2007279518.tif 000002
【特許請求の範囲】
【請求項１】
床面に設置して任意の情報を表示する床設置型フラットパネルディスプレイ装置であって、
表示信号に基づいて任意の情報を表示するフラットパネル状の表示部と、
前記表示部に表示させる情報を制御する表示制御部と、
表示させる前記情報を指示する表示信号を前記表示制御部に送信する制御部と、
前記床設置型フラットパネルディスプレイ装置上の人間の動きを検出して前記制御部に検出信号を送信する検出部と、を備え、
前記制御部は、前記検出部から受信した検出信号に基づいて前記表示制御部に送信する表示信号を変更する床設置型フラットパネルディスプレイ装置。
【請求項２】
前記検出部は、前記床設置型フラットパネルディスプレイ装置の上面に位置する人間の重力により押圧されたことに応じて前記検出信号を送信する圧力センサを具備してなる請求項１に記載の床設置型フラットパネルディスプレイ装置。
【請求項３】
前記検出部は、前記床設置型フラットパネルディスプレイ装置の上面付近に所定の周波数の光線を発射する発光部と前記発光部が発射する光線を受光する受光部とで構成する光学センサを具備してなり、前記光学センサは前記床設置型フラットパネルディスプレイ装置の上面に位置する人間により前記光線がさえぎられたことに応じて前記検出信号を送信する請求項１に記載の床設置型フラットパネルディスプレイ装置。
【請求項４】
前記表示部は、その上面に前記表示部を上方からの圧力から保護する保護カバーを具備してなる請求項１から請求項３のいずれかに記載の床設置型フラットパネルディスプレイ装置。
【請求項５】
無線通信により前記表示部に表示させる情報を表すデータおよび制御データを受信する無線通信制御部をさらに備える請求項１から請求項４のいずれかに記載の床設置型フラットパネルディスプレイ装置。
【請求項６】
前記制御部は、前記検出信号を受信した場合に所定の道案内情報を前記表示部に表示させる表示信号を前記表示制御部に送信する請求項１から請求項５のいずれかに記載の床設置型フラットパネルディスプレイ装置。
【請求項７】
音声信号に基づいて任意の音声を出力する音声出力部と、
前記音声出力部に出力させる情報を制御する音声出力制御部と、をさらに備え、
前記制御部は、前記検出信号を受信した場合に所定の道案内音声情報を前記音声出力部に出力させる音声信号を前記音声出力制御部に送信する請求項１から請求項６のいずれかに記載の床設置型フラットパネルディスプレイ装置。
【請求項８】
前記検出部は、前記表示部の付近に位置する人間の位置情報を表す位置データを含む前記検出信号を前記制御部に送信し、前記制御部は、前記検出信号を受信した場合に前記位置データに基づいて検出した前記表示部上の人間の位置に応じて、所定の道案内情報の表示方向を変更して表示させる表示信号を前記表示制御部に送信する請求項１から請求項７のいずれかに記載の床設置型フラットパネルディスプレイ装置。
【請求項９】
前記検出部は、前記表示部の付近に位置する人間の位置情報を表す位置データを含む前記検出信号を前記制御部に送信し、前記制御部は、前記検出信号を受信した場合に所定の道案内情報を前記位置データに基づいて検出した前記表示部上の人間の位置以外の部分に表示させる表示信号を前記表示制御部に送信する請求項１から請求項８のいずれかに記載の床設置型フラットパネルディスプレイ装置。
【請求項１０】
前記制御部は、所定の時間連続して前記検出信号を受信しない場合に所定の広告情報を前記表示部に表示させる表示信号を前記表示制御部に送信する請求項１から請求項９のいずれかに記載の床設置型フラットパネルディスプレイ装置。
【請求項１１】
前記制御部は、前記検出信号を受信して前記表示部に表示させる情報を変更する表示信号を前記表示制御部に送信した後、所定の時間連続して新たな検出信号を受信しない場合に、所定の広告情報を前記表示部に表示させる表示信号を前記表示制御部に送信する請求項１から請求項１０のいずれかに記載の床設置型フラットパネルディスプレイ装置。
【発明の詳細な説明】
【技術分野】
【０００１】
本発明は、床設置型フラットパネルディスプレイ装置に関する。特に、当該床設置型フラットパネルディスプレイ装置上の人の動きを検出する手段を備える床設置型フラットパネルディスプレイ装置に関する。
【背景技術】
【０００２】
従来、床面に情報を表示するものとして、床面に粘着させて使用する広告表示プレートが提案されている（特許文献１参照）。特許文献１に開示された広告表示プレートは、上面に広告情報を表示し下面に床面に対して剥離可能に粘着する粘着面を備えるプレートにより構成され、当該プレートの粘着面を再粘着可能に粘着する台紙用シートが剥離可能に付帯している。さらに、当該プレートとして液晶ディスプレイやプラズマディスプレイを用いることにより構成した床設置型フラットパネルディスプレイ装置は、床面に任意の画像を表示させることができる。
【特許文献１】特開２００４−１１７９０４号公報
【発明の開示】
【発明が解決しようとする課題】
【０００３】
しかしながら、このような床設置型ディスプレイ装置は、あらかじめ設定された広告などの画像を一方的に表示することにとどまり、当該床設置型フラットパネルディスプレイ装置の周辺を往来する人間に対して必要な情報を的確に表示するには改良の余地がある。
【０００４】
本発明者は、床設置型フラットパネルディスプレイ装置上の人の動きを検出する手段を備える床設置型フラットパネルディスプレイ装置を構成し、当該フラットパネルディスプレイ装置の周辺を往来する人間に対して必要な情報を的確に表示することを目的として本発明を完成させた。
【課題を解決するための手段】
【０００５】
本発明は、具体的には以下のようなものを提供する。
【０００６】
（１）  床面に設置して任意の情報を表示する床設置型フラットパネルディスプレイ装置であって、
表示信号に基づいて任意の情報を表示するフラットパネル状の表示部と、
前記表示部に表示させる情報を制御する表示制御部と、
表示させる前記情報を指示する表示信号を前記表示制御部に送信する制御部と、
前記床設置型フラットパネルディスプレイ装置上の人間の動きを検出して前記制御部に検出信号を送信する検出部と、を備え、
前記制御部は、前記検出部から受信した検出信号に基づいて前記表示制御部に送信する表示信号を変更する床設置型フラットパネルディスプレイ装置。
【０００７】
（１）の発明の構成を備えることにより、前記床面に設置して任意の情報を表示する床設置型フラットパネルディスプレイ装置は、
表示信号に基づいて任意の情報を表示するフラットパネル状の表示部と、
前記表示部に表示させる情報を制御する表示制御部と、
表示させる前記情報を指示する表示信号を前記表示制御部に送信する制御部と、
前記床設置型フラットパネルディスプレイ装置上の人間の動きを検出して前記制御部に検出信号を送信する検出部と、を備え、
前記制御部は、前記検出部から受信した検出信号に基づいて前記表示制御部に送信する表示信号を変更する。
【０００８】
このことにより、前記検出部が前記床設置型フラットディスプレイ装置上の人間の動きを検出した場合には、前記表示部に表示させる情報を変更することができる。
【０００９】
その結果、例えば、展示会会場の通路などに前記床設置型フラットパネルディスプレイ装置を設置し、普段は前記表示部に広告情報を表示させておき、人間の動きを検出した場合には道案内情報を表示させる、などの制御が可能となる。
【００１０】
このように、（１）の発明に構成によれば、広告などの画像を一方的に表示することにとどまらず、当該フラットパネルディスプレイ装置の周辺を往来する人間に対して必要な情報を的確に表示できる可能性がある。
【００１１】
（２）  前記検出部は、前記床設置型フラットパネルディスプレイ装置の上面に位置する人間の重力により押圧されたことに応じて前記検出信号を送信する圧力センサを具備してなる（１）に記載の床設置型フラットパネルディスプレイ装置。
【００１２】
（２）の発明の構成を備えることにより、前記床面に設置して任意の情報を表示する床設置型フラットパネルディスプレイ装置は、前記床設置型フラットパネルディスプレイ装置の上面に位置する人間の重力により押圧されたことに応じて前記検出信号を送信する圧力センサを具備する。
【００１３】
このことにより、前記前記床設置型フラットパネルディスプレイ装置の上面に位置する人間の動きを、圧力によって捉えることができる。前記表示部上はもちろんのこと、前記表示部の周囲も含めて人間の動きを捉えることができる。
【００１４】
その結果、例えば、通路に設置した前記前記床設置型フラットパネルディスプレイ装置に人間が近づいてきて、表示部上に達する前に当該人間の動きを検出して、表示部の表示を切り換えるように設定することも可能となる。
【００１５】
（３）  前記検出部は、前記床設置型フラットパネルディスプレイ装置の上面付近に所定の周波数の光線を発射する発光部と前記発光部が発射する光線を受光する受光部とで構成する光学センサを具備してなり、前記光学センサは前記床設置型フラットパネルディスプレイ装置の上面に位置する人間により前記光線がさえぎられたことに応じて前記検出信号を送信する（１）に記載の床設置型フラットパネルディスプレイ装置。
【００１６】
（３）の発明の構成を備えることにより、前記床面に設置して任意の情報を表示する床設置型フラットパネルディスプレイ装置は、前記床設置型フラットパネルディスプレイ装置の上面付近に所定の周波数の光線を発射する発光部と前記発光部が発射する光線を受光する受光部とで構成する光学センサを具備し、前記光学センサは前記床設置型フラットパネルディスプレイ装置の上面に位置する人間により前記光線がさえぎられたことに応じて前記検出信号を送信する。
【００１７】
このことにより、非接触型センサを用いて、表示部上に視野をさえぎる部材を配置することなく人間の動きを捉えることができる。
【００１８】
（４）  前記表示部は、その上面に前記表示部を上方からの圧力から保護する保護カバーを具備してなる（１）から（３）のいずれかに記載の床設置型フラットパネルディスプレイ装置。
【００１９】
（４）の発明の構成を備えることにより、前記床面に設置して任意の情報を表示する床設置型フラットパネルディスプレイ装置は、その上面に前記表示部を上方からの圧力から保護する光を透過する保護カバーを具備する。
【００２０】
このことにより、視界をさえぎることなく前記表示部を人間に踏まれることによる応力や擦り傷から保護することができる。
【００２１】
（５）  無線通信により前記表示部に表示させる情報を表すデータおよび制御データを受信する無線通信制御部をさらに備える（１）から（４）のいずれかに記載の床設置型フラットパネルディスプレイ装置。
【００２２】
（５）の発明の構成を備えることにより、前記床面に設置して任意の情報を表示する床設置型フラットパネルディスプレイ装置は、無線通信により前記表示部に表示させる情報を表すデータおよび制御データを受信する無線通信制御部をさらに備える。
【００２３】
このことにより、無線通信によりネットワークに接続されたサーバ装置等から前記表示部に表示させる情報をコントロールすることが可能となる。
【００２４】
（６）  前記制御部は、前記検出信号を受信した場合に所定の道案内情報を前記表示部に表示させる表示信号を前記表示制御部に送信する（１）から（５）のいずれかに記載の床設置型フラットパネルディスプレイ装置。
【００２５】
（６）の発明の構成を備えることにより、前記床面に設置して任意の情報を表示する床設置型フラットパネルディスプレイ装置は、前記検出信号を受信した場合に所定の道案内情報を前記表示部に表示させる表示信号を前記表示制御部に送信する。
【００２６】
このことにより、たとえば、前記床設置型フラットパネルディスプレイ装置を通路に設置した場合に、人間が接近してきた場合に道案内情報を表示することができる。逆に、普段は別の広告情報等を表示させておき、検出した人間の動きに合わせて必要になったタイミングで、随時表示内容を切り換えることも可能となる。
【００２７】
（７）  音声信号に基づいて任意の音声を出力する音声出力部と、
前記音声出力部に出力させる情報を制御する音声出力制御部と、をさらに備え、
前記制御部は、前記検出信号を受信した場合に所定の道案内音声情報を前記音声出力部に出力させる音声信号を前記音声出力制御部に送信する（１）から（６）のいずれかに記載の床設置型フラットパネルディスプレイ装置。
【００２８】
（７）の発明の構成を備えることにより、前記床面に設置して任意の情報を表示する床設置型フラットパネルディスプレイ装置は、音声信号に基づいて任意の音声を出力する音声出力部と、
前記音声出力部に出力させる情報を制御する音声出力制御部と、をさらに備え、
前記検出信号を受信した場合に所定の道案内音声情報を前記音声出力部に出力させる音声信号を前記音声出力制御部に送信する。
【００２９】
このことにより、たとえば、前記床設置型フラットパネルディスプレイ装置を通路に設置した場合に、人間が接近してきた場合に音声により道案内情報を表示することができる。さらに、当該人間に前記床設置型フラットパネルディスプレイ装置の使用法を案内するアナウンスを流してもよい。
【００３０】
（８）  前記検出部は、前記表示部の付近に位置する人間の位置情報を表す位置データを含む前記検出信号を前記制御部に送信し、前記制御部は、前記検出信号を受信した場合に前記位置データに基づいて検出した前記表示部上の人間の位置に応じて、所定の道案内情報の表示方向を変更して表示させる表示信号を前記表示制御部に送信する（１）から（７）のいずれかに記載の床設置型フラットパネルディスプレイ装置。
【００３１】
（８）の発明の構成を備えることにより、前記床面に設置して任意の情報を表示する床設置型フラットパネルディスプレイ装置は、前記表示部の付近に位置する人間の位置情報を表す位置データを含む前記検出信号を前記制御部に送信し、前記制御部は、前記検出信号を受信した場合に前記位置データに基づいて検出した前記表示部上の人間の位置に応じて、所定の道案内情報の表示方向を変更して表示させる表示信号を前記表示制御部に送信する。
【００３２】
このことにより、前記人間の位置に応じて見やすいと考えられる方向に情報を表示させることができる。
【００３３】
（９）  前記検出部は、前記表示部の付近に位置する人間の位置情報を表す位置データを含む前記検出信号を前記制御部に送信し、前記制御部は、前記検出信号を受信した場合に所定の道案内情報を前記位置データに基づいて検出した前記表示部上の人間の位置以外の部分に表示させる表示信号を前記表示制御部に送信する（１）から（８）のいずれかに記載の床設置型フラットパネルディスプレイ装置。
【００３４】
（９）の発明の構成を備えることにより、前記床面に設置して任意の情報を表示する床設置型フラットパネルディスプレイ装置は、前記表示部の付近に位置する人間の位置情報を表す位置データを含む前記検出信号を前記制御部に送信し、前記制御部は、前記検出信号を受信した場合に所定の道案内情報を前記位置データに基づいて検出した前記表示部上の人間の位置以外の部分に表示させる表示信号を前記表示制御部に送信する。
【００３５】
このことにより、前記人間の位置に応じて前記表示部の足の位置以外の部分を使って情報を表示させることができる。
【００３６】
（１０）  前記制御部は、所定の時間連続して前記検出信号を受信しない場合に所定の広告情報を前記表示部に表示させる表示信号を前記表示制御部に送信する（１）から（９）のいずれかに記載の床設置型フラットパネルディスプレイ装置。
【００３７】
（１０）の発明の構成を備えることにより、前記床面に設置して任意の情報を表示する床設置型フラットパネルディスプレイ装置は、所定の時間連続して前記検出信号を受信しない場合に所定の広告情報を前記表示部に表示させる表示信号を前記表示制御部に送信する。
【００３８】
このことにより、前記床設置型フラットパネルディスプレイ装置は、前記人間が前記床設置型フラットパネルディスプレイ装置上から離れても、所定の時間は切り換えた画像を表示することになる。したがって、例えば、前記人間が少し離れた位置から表示情報を確認したい場合にすぐに広告情報に切り替わることなく所定の時間は引き続き道案内情報等を確認することができる。
【００３９】
（１１）  前記制御部は、前記検出信号を受信して前記表示部に表示させる情報を変更する表示信号を前記表示制御部に送信した後、所定の時間連続して新たな検出信号を受信しない場合に、所定の広告情報を前記表示部に表示させる表示信号を前記表示制御部に送信する（１）から（１０）のいずれかに記載の床設置型フラットパネルディスプレイ装置。
【００４０】
（１１）の発明の構成を備えることにより、前記床面に設置して任意の情報を表示する床設置型フラットパネルディスプレイ装置は、前記検出信号を受信して前記表示部に表示させる情報を変更する表示信号を前記表示制御部に送信した後、所定の時間連続して新たな検出信号を受信しない場合に、所定の広告情報を前記表示部に表示させる表示信号を前記表示制御部に送信する。
【００４１】
このことにより、前記床設置型フラットパネルディスプレイ装置は、道案内情報に切り換えた後、所定の時間内に新たな人間の動きを検出しない場合に、元の広告情報の表示に戻すことができる。
【００４２】
その結果、例えば、通路に設置した前記床設置型フラットパネルディスプレイ装置上に人間が待ち合わせ等で動かずじっとしており、他の人間も接近してこない場合には、元の広告情報の表示に切り換えることもできる。
【発明の効果】
【００４３】
本発明によれば、床設置型フラットパネルディスプレイ装置の上に人間の動きを検出したことに応じて、表示画像を変更することができる。したがって、例えば、展示場や地下鉄通路等に当該床設置型フラットパネルディスプレイ装置を設置し、人の動きに応じて道案内情報等を当該装置の表示部に表示させることができる。本発明によれば、このように当該装置を適宜必要な場所に設置して使用し、周辺を往来する人間に対して、必要な情報を的確に表示することができる。
【発明を実施するための最良の形態】
【００４４】
以下、本発明の実施形態について、図を参照しながら説明する。
【００４５】
図１は、本発明の好適な実施形態の一例に係る床設置型フラットパネルディスプレイ装置の使用例を示す図である。
【００４６】
展示場等の通路の交差点に設置した本発明に係る床設置型フラットパネルディスプレイ装置１は、各ブース等を案内するための道案内情報を表示している。このように比較的短時間のうちに店舗やブースレイアウトが変わってしまうような場合に使用しても、本発明に係る床設置型フラットパネルディスプレイ装置１は、その設置場所に適合した道案内情報を表示することができる。
【００４７】
図２は、本発明の好適な実施形態の一例に係る床設置型フラットパネルディスプレイ装置１の表示部１３１の表示形態を示す図である。床設置型フラットパネルディスプレイ装置１上の人間２０１の動きを検出したことに応じて、床設置型フラットパネルディスプレイ装置１の表示部１３１上に所定の道案内情報が表示される。
【００４８】
図３は、床設置型フラットパネルディスプレイ装置１の全体構成を示すブロック図である。床設置型フラットパネルディスプレイ装置１は、制御部１１０、記憶部１２０、表示制御部１３０、検出部１４０、無線通信制御部１５０、音声出力制御部１６０がバス１７０を介して接続されている。
【００４９】
検出部１４０は、圧力センサおよび光学センサ等により構成し、床設置型フラットパネルディスプレイ装置１上の人間２０１の動きを検出して、制御部１１０に検出信号を送信する。表示部１３１は、表示信号に基づいて所定の道案内情報等の任意の情報を表示する。表示制御部１３０は、表示部１３１に表示させる情報を制御する。制御部１１０は床設置型フラットパネルディスプレイ装置１全体を制御し、表示部１３１に表示させる情報を指示する表示信号を表示制御部１３０に送信する。また、制御部１１０は検出部１４０から受信した検出信号に基づいて表示制御部１３０に送信する表示信号を変更する。
【００５０】
無線通信制御部１５０は、無線通信により表示部１３１に表示させる情報を表すデータおよび制御データを、無線通信ネットワーク１８０を介して接続されるサーバ装置（図示せず）から無線送受信部１５１を通じて受信する。音声出力制御部１６０は、制御部１１０が検出信号を受信した場合に所定の道案内音声情報を音声出力部（スピーカ）１６１に出力させる音声信号を、制御部１１０から受信し、音声出力部（スピーカー）１６１に出力させる情報を制御する。音声出力部（スピーカー）１６１は音声信号に基づいて任意の音声を出力する。
【００５１】
図４は、検出部１４０として圧力センサ部４４０および圧力値測定装置４２０を含んで構成した表示部１３１の構成を示す断面図である。表示部１３１上には、強化ガラス４３０が配設される。強化ガラス４３０を配設することにより、人間２０１が上に乗ってもフラットパネルディスプレイ４１０に応力がかかるのを抑止することが可能となる。強化ガラス４３０の上に、さらに圧力センサ部４４０を配設し、圧力センサ部４４０の上には、さらに保護カバー４５０を配設する。
【００５２】
圧力センサ部４４０は、表示部１３１にプレーヤが乗って足を踏みつけたことにより圧力が印加されたときに、その踏みつけた足の場所と圧力の大きさを電気信号データとして圧力値測定装置４２０に送信し、圧力値測定装置４２０が、当該電気信号データからセンサ信号（検出信号）に変換して制御部１１０に送信することにより、圧力が印加された位置および大きさを検出する。ここで、圧力値測定装置４２０は床設置型フラットパネルディスプレイ装置１の端縁部１１に埋め込んで配設してよい。そして、圧力センサ部４４０や保護カバー４５０、強化ガラス４３０としては、光を透過するものを用いる。このような構成とすることで、表示部１３１上の人間２０１は、この光を透過する圧力センサ部４４０や保護カバー４５０、強化ガラス４３０を介して表示部１３１の画像を視認することができ、また、人間２０１が足で踏んだときに、その人間２０１の足の位置を検出することができる。そして、保護カバーの材質としては、エラストマー、ポリプロピレン、ポリエステル等の柔軟性を持ち、上に乗った人間２０１の重力による応力を圧力センサ部４４０に伝えつつ、キズがつきにくい、光を透過するプラスチックシートまたはプラスチックフィルム等を適宜選択して使用する。
【００５３】
図５は、検出部１４０として使用する光学センサ５００の構成図である。光学センサ５００は、所定の周波数の光線を発射する発光部５１０と前記発光部５１０が発射する光線を受光する受光部５２０のペアで一のセンサを構成する。床設置型フラットパネルディスプレイ装置１は表示部１３１の端縁部１１にこれらの発光部５１０および受光部５２０のペアを対向する向きに並べて配設する。
【００５４】
各光学センサ５００の発光部５１０は、対向する位置にある受光部に向かって所定の波長の光線、例えば、赤外光を射出する。人間２０１の足が当該光線をさえぎると、受光部５２０は当該光線を受光できなくなるため、人間２０１の足の存在を検出することができる。光学センサ５００は、人間２０１の足を検出した場合に、検出信号を制御部１１０に送信する。このように、光学センサによる検出部１４０は、人間２０１の足がさえぎる光線が変化することを検知することにより、人間２０１の動きを検出することができる。
【００５５】
なお、光学センサ５００は、赤外光を利用したセンサに限らず、各種のセンサを利用してよい。また、赤外光を利用したセンサによれば、超音波等を利用したセンサと比較して反応速度が速い利点がある。なお、光学センサを使用する場合には、圧力センサ部４４０で検出部１４０を構成する場合と異なり、保護カバー４５０は必要ではない。
【００５６】
なお、本発明に係る検出部１４０は、これらに限られず、本発明の技術的思想を満足するあらゆる公知のセンサによって構成することができる。
【００５７】
図６は、床設置型フラットパネルディスプレイ装置１の音声出力部（スピーカー）１６１の設置例を示す図である。音声出力部（スピーカー）１６１は、床設置型フラットパネルディスプレイ装置１の端縁部１１に設置し、表示部１３１上の人間２０１の位置に応じて指向性を持つように配置してよい。これにより、表示部１３１上の人間２０１が立つ位置によって、最も近くの音声出力部（スピーカー）１６１から音声案内を出力するなどの設定が可能となり、音声出力部（スピーカー）１６１から道案内音声情報を適切な音量で聞き取ることができる。
【００５８】
図７は、床設置型フラットパネルディスプレイ装置１の無線送受信部１５１の構成を示す図である。無線送受信部１５１は、床設置型フラットパネルディスプレイ装置１の端縁部１１に埋め込んで配設してよく、無線通信ネットワーク１８０を介してサーバ装置（図示せず）と接続する。
【００５９】
制御部１１０は、床設置型フラットパネルディスプレイ装置１の電源が投入されたことに応じて、図８の処理を開始する。
【００６０】
図８は、本発明の好適な実施形態の一例に係る床設置型フラットパネルディスプレイ装置１の制御部１１０の処理を示すフローチャートである。ステップＳ６０１において制御部１１０は、所定の広告を表示する表示信号を表示制御部１３０へ送信する。このように表示部１３１は普段は広告等の表示を行う。
【００６１】
ここで図１０に示された通常表示情報テーブルには、広告コードカラム、広告情報データカラム、表示順カラム、表示時間カラムがあり、それぞれ、表示部１３１に表示させる広告の広告コード、広告情報データ、表示順、表示時間が示されている。制御部１１０は通常表示情報テーブルに示された表示順データに基づいて、所定の広告の広告情報データ、表示時間を表示信号として表示制御部１３０へ送信する。これにより、図１３に示されるような所定の広告画像が表示部１３１に所定時間表示される。なお、制御部１１０と表示制御部１３０との役割分担は、本発明の趣旨に沿って適宜設計可能であり、通常表示テーブル上の表示時間カラムは制御部１１０側で読み込み、処理して算出したタイミングで表示制御部１３０へ広告情報データを表示信号に含めて送信してもよい。
【００６２】
ステップＳ６０２において制御部１１０は、検出部１４０からの検出信号の受信を待機する。
【００６３】
ステップＳ６０３において制御部１１０は、検出部１４０からの検出信号の受信があるか否かを判断し、受信がなければ、受信があるまでステップＳ６０２を繰り返す。制御部１１０は、検出部１４０から検出信号を受信した場合、ステップＳ６０４において、受信した検出信号に応じた表示信号を表示制御部１３０へ送信する。
【００６４】
これにより、具体的には、図１１、図１２に示すような画面を表示する。ここで図９に示された案内表示情報テーブルには、設置位置コードカラム、画像データカラム、音声データカラム、通常表示時間への戻し時間カラム、非表示領域設定カラム、表示方向設定カラムがあり、それぞれ、床設置型フラットパネルディスプレイ装置１の設置位置、床設置型フラットパネルディスプレイ装置１の設置位置に基づいて、表示部１３１に表示させる案内画像の画像データ、当該設置位置に基づいて、音声出力部（スピーカー）１６１に音声として出力させる音声データ、当該設置位置に基づいて、通常表示（広告表示）へ戻す時間、当該設置位置に基づいて、非表示領域（段落［００７０］で後述）を設定することの有無、当該設置位置に基づいて、表示方向（段落［００７２］で後述）を設定することの有無、が示されている。
【００６５】
制御部１１０は案内表示情報テーブルに示された設置位置コードに基づいて、所定の道案内情報画像データを表示信号として表示制御部１３０へ送信することで、図１１、図１２に示すような画面を表示する。また、制御部１１０は案内表示情報テーブルに示された設置位置コードに基づいて、所定の道案内情報音声データを音声信号として音声出力制御部１６０へ送信し、音声出力部（スピーカー）１６１を駆動することで、道案内情報を音声として出力する。なお、床設置型フラットパネルディスプレイ装置１は、案内表示情報テーブルを常時記憶しておいてもよいし、複数の床設置型フラットパネルディスプレイ装置１を管理するサーバ装置（図示せず）から、随時無線送受信部１５１を介して床設置型フラットパネルディスプレイ装置１に送信してもよい。また、サーバ装置と床設置型フラットパネルディスプレイ装置１との間の接続は有線によるものにより実現してもよい。
【００６６】
ステップＳ６０５において制御部１１０は、タイマをスタートさせる。このタイマは図９で示す、通常表示への戻し時間をカウントするものである。
【００６７】
ステップＳ６０６において制御部１１０は、新たな検出信号の受信を待機する。
【００６８】
ステップＳ６０８において制御部１１０は、検出部１４０からの新たな検出信号の受信があるか否かを判断し、受信した場合、ステップＳ６０７において、タイマの経過時間をリセットし、ステップＳ６０４に処理を戻す。受信がなければ、ステップＳ６０９において制御部１１０は、タイマの経過時間が所定値（通常表示への戻し時間）に到達するか否かを判断し、所定値（通常表示への戻し時間）に到達していない場合、ステップＳ６０６の新たな検出信号の受信待機に処理を戻す。所定値（通常表示への戻し時間）に到達した場合、ステップＳ６１０において制御部１１０は、タイマの経過時間をリセットし、ステップＳ６０１に処理を戻す。
【００６９】
このような手順により、一度道案内情報が表示された後、人間２０１が床設置型フラットパネルディスプレイ装置１上から離れても、所定の時間（通常表示への戻し時間）は、道案内情報を表示するため、当該人間２０１が床設置型フラットパネルディスプレイ装置１上から少し離れた位置からでも、すぐに広告情報に切り替わることなく、道案内情報を確認することができる。また、所定の時間を経過したら、広告情報に切り替わるため、人間２０１が待ち合わせ等のために床設置型フラットパネルディスプレイ装置１上で同じ位置にじっとして動かない場合でもディスプレイ装置の周辺の人間が広告情報を見ることができる。
【００７０】
図１４は、図９の案内表示情報テーブルにおいて、非表示領域の設定がある床設置型フラットパネルディスプレイ装置１についてのイメージ図であり、床設置型フラットパネルディスプレイ装置１の検出部１４０によって、表示部１３１上の人間の位置情報が制御部１１０に送信され、制御部１１０は当該位置情報に基づく人間の位置以外の部分（図の斜線領域以外の部分）に、道案内画像を表示させる表示信号を表示制御部１３０に送信する。
【００７１】
このことにより、人間の位置に応じて表示部１３１の足の位置以外の部分に情報を表示させることができる。
【００７２】
また、図９の案内表示情報テーブルにおいて表示方向の設定がある床設置型フラットパネルディスプレイ装置１については、床設置型フラットパネルディスプレイ装置１の検出部１４０によって、表示部１３１上の人間の位置情報が制御部１１０に送信され、制御部１１０は当該位置情報に基づく人間の位置に応じて、道案内情報の表示方向や文字の向きを変更して表示させる表示信号を表示制御部１３０に送信する。
【００７３】
このことにより、人間の位置に応じて見やすいと考えられる方向に情報を表示させることができる。
【００７４】
床設置型フラットパネルディスプレイ装置１の記憶部１２０内にある画像データ、音声データ、広告情報データ等の案内表示情報テーブルまたは通常情報テーブルのデータは、無線通信制御部１５０が無線通信ネットワーク１８０を介してサーバ装置（図示せず）からデータを受信することで、書き換えることができる。
【００７５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００７６】
【図１】本発明の床設置型フラットパネルディスプレイ装置の使用例を示す図である。
【図２】本発明の床設置型フラットパネルディスプレイ装置の表示部の表示形態を示す図である。
【図３】本発明の床設置型フラットパネルディスプレイ装置の全体構成を示すブロック図である。
【図４】圧力センサを含んで構成した表示部および検出部の構成を示す断面図である。
【図５】本発明の光学センサの構成を示す図である。
【図６】本発明の床設置型フラットパネルディスプレイ装置の音声出力部（スピーカー）の構成を示す図である。
【図７】本発明の床設置型フラットパネルディスプレイ装置の無線送受信部の構成を示す図である。
【図８】本発明の制御部における画像表示を行う手順を示すフローチャートである。
【図９】本発明の案内表示情報テーブルを示した図である。
【図１０】本発明の通常表示情報テーブルを示した図である。
【図１１】本発明の道案内情報の画像イメージ図である。
【図１２】本発明の道案内情報の画像イメージ図である。
【図１３】本発明の広告情報の画像イメージ図である。
【図１４】本発明の非表示領域の設定があるディスプレイ装置についてのイメージ図である。
【符号の説明】
【００７７】
１      床設置型フラットパネルディスプレイ装置
１１    端縁部
１１０  制御部
１２０  記憶部
１３０  表示制御部
１３１  表示部
１４０  検出部
１５０  無線通信制御部
１５１  無線送受信部
１６０  音声出力制御部
１６１  音声出力部（スピーカー）
１７０  バス
１８０  無線通信ネットワーク
２０１  床設置型フラットパネルディスプレイ装置上の人間
４１０  フラットパネルディスプレイ
４２０  圧力値測定装置  
４３０  強化ガラス
４４０  圧力センサ部
４５０  保護カバー
５００  光学センサ
５１０  発光部
５２０  受光部
【図１】
2007279518.tif 000003
【図２】
2007279518.tif 000004
【図３】
2007279518.tif 000005
【図４】
2007279518.tif 000006
【図５】
2007279518.tif 000007
【図６】
2007279518.tif 000008
【図７】
2007279518.tif 000009
【図８】
2007279518.tif 000010
【図９】
2007279518.tif 000011
【図１０】
2007279518.tif 000012
【図１１】
2007279518.tif 000013
【図１２】
2007279518.tif 000014
【図１３】
2007279518.tif 000015
【図１４】
2007279518.tif 000016